(57)【要約】【課題】  残量のあるカード（可能性があるものを含む）を漏れなく選別して機械的に取得する。【解決手段】  積み重ねたプリペイドカードＣを収納するカードホルダ部１０と、カードホルダ部のプリペイドカードを順次後段へ送り出す同期させた複数段のローラ手段１１〜１５と、送り出されたプリペイドカードの前縁部と後縁部を検出するタイミングセンサ２１、２２とを備える。またプリペイドカードの残量の有無を判別する残量判別装置と、この残量判別装置がプリペイドカードの残量を判別したときに、該プリペイドカードを後段の保管部に選択的に格納する選別装置３０を備える。残量判別装置は、プリペイドカードの隅角部近傍の残量表示を読み取るために配した少なくとも四個のカラーセンサ２４〜２７によって構成する。【選択図】    図１
0003102255.tif 000002
【実用新案登録請求の範囲】
【請求項１】
使用可能な残量をカラー表示するパチンコ用プリペイドカードの残量の有無を選別する装置であって、
積み重ねたプリペイドカードを収納するカードホルダ部と、
カードホルダ部のプリペイドカードを順次後段へ送り出す複数段のローラ手段と、
ローラ手段によって送り出されるプリペイドカードの残量の有無を判別する残量判別装置と、
この残量判別装置がプリペイドカードの残量を判別したときに、該プリペイドカードを保管部に格納する選別回動装置とを備え、
前記残量判別装置は、
プリペイドカードの残量表示を読み取るために配した四個のカラーセンサと、該カラーセンサを駆動制御するタイミングセンサとを備え、
このタイミングセンサは、プリペイドカードの前縁部および後縁部の位置を検出する機能を備え、
四個のカラーセンサは、プリペイドカードの隅角部近傍に表示される残量のカラー表示を読み取るよう、プリペイドカードの隅角部の対角線上に配した下向きの二個のカラーセンサと、プリペイドカードの隅角部の対角線上に配した上向きの二個のカラーセンサとによって構成する一方、
前記選別回動装置は、カラーセンサの判別結果に応じ、下流側に配した回動軸を介して適宜の角度調整が可能な選別板を備え、プリペードカードの種類を、少なくとも、残量があるカードと、その他のカードの二種類に選別可能とし、
残量があるカードを検出したときは、ローラ手段を一旦停止させつつ、選別板の角度を調整駆動して、残量がある当該カードを選別することを特徴とするパチンコ用プリペイドカードの選別装置。
【請求項２】
カラーセンサの判別結果を、残量がないカード、残量があるカード、判別不能のカードの三種類に区別して設定する一方、
選別回動装置は、
上面を選別板、下面を遮蔽板として機能させることのできるボックス形状とし、上流側に開口を、下流側に回動軸を設けてなり、
最終段のローラ手段から排出される特定の一種類のカードを、下流に向かって下降傾斜させた上面の選別板を通過させることによって選別する第一の選別処理動作と、
回動軸を介してボックスの角度を切り換え制御することにより、最終段のローラ手段から排出される特定の一種類のカードを、上流側の開口を介してボックス内に一旦収納し、ボックスの開口側を下降傾斜させることによってボックス内のカードを下方の収納ケースに滑落させる第二の選別処理動作と、
回動軸を介してボックスの角度を切り換え制御することにより、最終段のローラ手段から排出される特定の一種類のカードを、ボックスの下面の遮蔽板を利用して下方落下させる第三の選別処理動作を行うことを特徴とする請求項１記載のパチンコ用プリペイドカードの選別装置。
【考案の詳細な説明】
【技術分野】
【０００１】
本考案は、パチンコ用のプリペイドカードに使用可能な残量があるか否かを判別して選別する装置に関する。
【背景技術】
【０００２】
パチンコ店（パチンコホール）は利用者に遊戯球を貸し出し、貸し出した玉数に応じて利益を得るが、売上金の正確な把握が困難であること等、諸般の事情に鑑みて、第三者発行型の前払式証票（いわゆるプリペイドカード）が導入されるようになった。プリペイドカードを用いると、販売したカード枚数とカード度数の消費情報をチェックすることにより、終始の透明性を高く保持できる。
【０００３】
ところで、パチンコ店では毎日大量のプリペイドカードが使用されるため、捨てられたカードの中には使用可能な度数が残されているものも少なくない。店内に置き忘れられたプリペイドカードは、残量が全くないものとしてゴミとして廃棄処分せざるを得ない。しかし残量がある場合には、これを廃棄処分するよりも、玉貸機（ユニット）を通して残された度数を完全に使い切った方が経営者側にとっては経済的な意味を持つ。カードの使用度数が増加するからである。
【０００４】
このような事情があるため、現在でも多くのパチンコ店では置き忘れにされたプリペイドカードを集めて使用可能な残量があるかどうかのチェックを行っている。
【特許文献１】なし
【考案の開示】
【考案が解決しようとする課題】
【０００５】
問題は、従来の、残量のチェックは一枚一枚人手に頼って調べるしかなかった点にある。本考案は、プリペイドカードに使用可能な度数が残っているか否かを連続的に選別できる装置を提供し、パチンコ店の作業負担を軽減することを目的とする。
【課題を解決するための手段】
【０００６】
前記目的を達成するため、請求項１に係るプリペイドカードの選別装置は、積み重ねたプリペイドカードを収納するカードホルダ部と、カードホルダ部のプリペイドカードを順次後段へ送り出す複数段のローラ手段と、送り出されたプリペイドカードの前縁部と後縁部を検出するタイミングセンサとを備えるとともに、プリペイドカードの残量の有無を判別する残量判別装置と、この残量判別装置がプリペイドカードの残量を判別したときに、該プリペイドカードを後段の保管部に選択的に格納する選別装置を備え、前記残量判別装置は、プリペイドカードの隅角部近傍の残量表示を読み取るために配した少なくとも四個のカラーセンサによって構成する。
【０００７】
本考案に係るプリペイドカードの選別装置は、選別対象となるプリペイドカードを所定のチェック位置まで移動させ、当該位置において四個のカラーセンサを用いて残量の有無を判別する。カラーセンサの駆動タイミングは、プリペイドカードの前縁部と後縁部とを検出できるタイミングセンサを介して行う。タイミングセンサが、プリペイドカードの前縁部を検出したときは、前側のカラーセンサが読み取りを行うようオン制御され、タイミングセンサが、プリペイドカードの後縁部を検出したときは、後側のカラーセンサが読み取りを行うようオン制御される。プリペイドカードに残量がない場合は、ローラ手段を停止させず連続的に読み取りを行うことが望ましい。
【０００８】
黒色等、適宜のカラーインクを用いて残量度数を表示するカードの場合、残量度数を検出するにはカラーセンサによる判別が最も容易である。原理的には、一個のカラーセンサがあれば残量度数の有無は検出できるのであるが、残量度数の有無をチェックするためにカードの表裏や前後方向を揃えるのは煩わしいし、また整列作業時のミスもあり得る。そこで請求項１に係る装置は、四個のカラーセンサを用いて、プリペイドカードがどのような状態でチェック位置まで搬送されてきても確実に残量の有無をチェックできるようにした。四個のカラーセンサがあれば、カードの表裏がどうであっても、また前後方向の向きがどうであっても、カードの所定箇所に表示されたカラー印刷領域を読み取ることが出来るからである。
【０００９】
カラーセンサによって残量をチェックされたプリペイドカードは、下流側に配した回動軸によって角度調整できる選別板を介して選別する。選別板を用いると、少なくとも、下降傾斜させた選択板の上面を通過させるカードと、選択板を上方傾斜させることにより進行方向を強制的に下方に振り分けるカードの二種類に選別を行うことが出来る。
【００１０】
請求項２は、選別回動装置をボックス形状とすることによって、カードを三種類に選別可能とするものである。常態で下降傾斜させたボックスの上面を選別板として利用し、一種類のカード（例えば残量がないカード）を滑落通過させる一方、他の種類のカード（例えば残量があるカード）を、ボックスの開口角度を上向きに駆動して一旦ボックス内に収納し、次いでボックス開口を下降傾斜させて、ボックス内のカードを滑落させ選別する。その他の一種類のカード（例えば残量の判別が出来なかったカード）は、ボックスの下面の遮蔽板を利用してカードの前方進行を妨げ、下方に重力落下させることによって選別する。
【考案の効果】
【００１１】
本考案に係るプリペイドカードの選別装置によれば、複数段のローラ手段を介して搬送させたカードを、四個のカラーセンサによって残量があるか否かを連続的にチェックすることができる。可能性のあるすべての表示点（四箇所）で残量チェックを行うから、残量のあるカード（可能性があるものを含む）を漏れなく選別して機械的に迅速に取得することが出来る。
【考案を実施するための最良の形態】
【００１２】
図１は、本考案に係るプリペイドカードの選別装置を例示する図である。１０は、プリペイドカードＣを積み重ねて格納するカードホルダ部、１１は、カードホルダ部１０内のプリペイドカードＣを下から順次後段（前方）へ繰り出すためのゴムローラ、１２〜１５は、繰り出されたプリペイドカードＣを抜き出して前方に搬送するピンチローラである。また、３０は、前方の一端を軸点として回動可能に支持された選別ボックス、４０は、選別されたカードを保管するカード保管部である。カード保管部４０は、残量があるカードを保管する第一のケース４１と、判読不能だったカードを保管する第二のケース４２を備える。
【００１３】
最上流のピンチローラ１２は、カードホルダ部１０から繰り出されるプリペイドカードＣを抜き取るために特に大きな圧力を要するので、他のピンチローラ１３〜１５に較べて外径を大きくしておくことが望ましい。ピンチローラ１３〜１５は、ピンチローラ１２によって抜き出されたプリペイドカードＣを一枚ずつ後段へ搬送するだけであるから、あまり大きな外径を必要としない。
【００１４】
なお、カードの送り出しは、常態においては連続して行い、残量があるカードを検出したときには選別ボックス３０を駆動して選別を行うため、少なくともローラ手段（１３〜１５）の回動駆動と停止制御は同期させておくことが望ましい。但し、最終段のピンチローラ１５は、他のローラ手段と無関係に回転し続けても処理上の問題はない。
【００１５】
ピンチローラ１３、１４の下流近傍には、プリペイドカードＣに書き込まれた残量データを読み取るためのセンサ類を配する。具体的には、プリペイドカードＣの残量表示データを読み取る四個のカラーセンサ２４〜２７と、二つのタイミングセンサ２１、２２である。タイミングセンサ２１、２２がプリペードカードＣの前縁部および後縁部を検出したときに、それぞれ前側のカラーセンサ２４、２５と、後側のカラーセンサ２６、２７がオン駆動される。タイミングセンサ２１、２２は、それぞれピンチローラ１３、１４の下流近傍に配する。
【００１６】
図２、図３は、センサ類の配設位置を平面から例示するものである。前方のタイミングセンサ２１は、プリペイドカードＣの先端部が所定位置に達したか否かを判別するもので、当該タイミングセンサ２１がプリペイドカードＣの先端部の到達を検出したときは、ローラ手段（１１〜１４）を止めることなく、カラーセンサ２４、２５による前方の残量表示の読み取り処理を行う。
【００１７】
後方のタイミングセンサ２２は、前方位置のカラーセンサ２４、２５が残量の有無を検出しなかったときに、プリペイドカードＣの後端部を検出し、後方のカラーセンサ２６、２７を駆動してプリペイドカードＣの後端部近傍に表示されている残量表示を読み取らせる。
【００１８】
なお、原理上は一個のタイミングセンサでも、前方二箇所、後方二箇所のカラーセンサ２４〜２７のオンオフ制御を行うことが出来る。しかし、高速で移動するプリペードカードＣの残量表示を、より正確な位置で読み取って精度を上げるには、前後二箇所にタイミングセンサ２１、２２を設けて前後のカラーセンサ（２４〜２７）を分離駆動したした方が効果的である。
【００１９】
最終段に設ける選別ボックス３０は、カードの残量の読み取り結果に応じてカードを選別するための手段である。この選別ボックス３０は、上面３１を選別板として利用できる箱形の形状をなし、最終段のピンチローラ１５と対向する側に開口Ｓを設けてある。また開口Ｓと反対側の端部には、制御装置を介して駆動される回動軸３２を備える。この回動軸３２は、カラーセンサ２４〜２７の読み取り結果に基づいてボックス（３０）の傾斜角度を変更する。また下面３８は、カードの前方進行を妨げて下方へ落下させる遮蔽板として利用する。
【００２０】
図４に示すように、選別ボックス３０は、特定種類のカード、例えば残量がないカードＣ１を排除するときには、上面（選別板）３１をピンチローラ１５のローラ接合面（符号Ｌで示す波線レベル）より下方に位置させておき、ピンチローラ１５のローラ接合面（Ｌ）から送り出されたカードＣ１を、下流側に向かって下降傾斜させている上面３１上を滑動させて適宜の収納ケース等に収める。なお、収納のためのケースは特に設けなくても構わない。
【００２１】
他の種類のカード、例えばカラーセンサ２４〜２７によってカードに残量があると判別されたカードＣ２は、図５に示すように、回動軸３２を介してボックス（３０）の開口Ｓを上向きに駆動する。すなわち開口Ｓの位置をピンチローラ１５のローラ接合面（Ｌ）から送り出されたカードＣ２を受け入れる位置にし、ボックス内にカードＣ２を一旦格納する。そして、ボックス（３０）の開口Ｓを下向きに適当角度だけ回動させ、残量があるカードＣ２を、カード保管部（４１）に滑落させて収納する。
【００２２】
残る種類のカード、例えば残量の有無を判別出来なかったカードＣ３は、図６に示すように、回動軸３２を介してボックスの下面の遮蔽板３８をピンチローラ１５のローラ接合面（Ｌ）に対向させてカードの前方進行を阻み、カードＣ３を下方落下させてカード保管部（４２）に収納する。
【００２３】
なお、判別結果に基づくカードの種類と、選別ボックス３０による選別動作の組み合わせは前記説明に限定されない。本実施形態では選別すべきカードの種類は三種類あり、選別ボックス３０の選別動作も三種類あるが、上面３１を使う選別動作と、ボックス収納による選別動作と、下面３８を用いた選別動作は、三種類のカードを区分するための動作であって、どの動作がどの種類のカードを選別するかは適宜設定して構わない。
【００２４】
選別ボックス３０が動いている最中、つまり、例えば残量があるカードＣ２と判別不能のカードＣ３との選別を行っている最中は、制御装置を介してローラ手段（１１〜１５）の回転は停止させる。
【００２５】
従って、かかる装置によれば、店内に残されたプリペイドカードＣを、人手によらず残量があるカードＣ２と残量がないカードＣ１とに高速で選別することが可能となる。残量を読み取るため四個のカラーセンサ２４〜２７を配しているから、カードホルダ部１０に入れるカード（Ｃ）は方向や向きがランダムであっても構わない。表裏や向きに関係なく残量表示の可能性があるすべての定点を読み取ることが出来るからである。
【００２６】
また本実施形態に係る装置によれば、インクのにじみ等によって残量の判別が出来なかったカードＣ３も選別できるから、残量のある可能性をもったカードを漏れなく選別取得できる。残量の判別ができなかったカードＣ３は、再度本装置によるチェックをしても良いし、人の目を通してチェックしても良い。
【００２７】
本考案に係る選別装置は、最低限の機能としては残量がないカードＣ１と残量があるカードＣ２の二種類に区別できればよい。従って、最終段のピンチローラ１５のローラ接合面（Ｌ）の後段に板状の選別板を配しておき、この選別板の上面を滑動させて例えば残量がないカードＣ１を排除する一方、例えば残量があるカード（残量がある可能性をもった判別不能のものを含む）Ｃ２を、選別板を立ち上げてカードの前方進行を阻み、下方落下させてカード保管部４０に収納しても良い。選別板の首振り動作（姿勢制御）は、実施形態の説明と同様に図示しない制御装置によってコントロールされる回動軸３２を介して行えば良い。
【図面の簡単な説明】
【００２８】
【図１】実施形態に係る選別装置の構成を例示する図である。
【図２】実施形態に係るセンサ類の配置例を示す第一の平面図である。
【図３】実施形態に係るセンサ類の配置例を示す第二の平面図である。
【図４】実施形態に係る選別ボックスの姿勢（角度）を例示する第一の図である。
【図５】実施形態に係る選別ボックスの姿勢（角度）を例示する第二の図である。
【図６】実施形態に係る選別ボックスの姿勢（角度）を例示する第三の図である。
【符号の説明】
【００２９】
１０  カードホルダ部
１１  ゴムローラ（ローラ手段）
１２〜１５  ピンチローラ（ローラ手段）
２１、２２  タイミングセンサ
２４〜２７  カラーセンサ
３０  選別ボックス
３１  上面
３２  回動軸
３８  遮蔽板
４０  カード保管部
４１  第一のケース
４２  第二のケース
Ｃ  プリペイドカード
Ｃ１  残量がないカード
Ｃ２  残量があるカード
Ｃ３  判別不能のカード
Ｓ  開口
【図１】
0003102255.tif 000003
【図２】
0003102255.tif 000004
【図３】
0003102255.tif 000005
【図４】
0003102255.tif 000006
【図５】
0003102255.tif 000007
【図６】
0003102255.tif 000008